(57)【特許請求の範囲】
【請求項１】
複数の照明器具と前記複数の照明器具を制御する端末装置と前記端末装置からの制御命令に従って前記複数の照明器具を制御する照明指令装置とを備える照明システムであって、
前記端末装置は、
画面と、
操作者からの指示を受け付ける入力部と、
指向性を有する無線信号を送出する無線送出部と、
前記複数の照明器具の少なくとも一つに対して通信アドレス又は論理アドレスを指定して無線で制御命令を送る通信部と、
前記画面に前記複数の照明器具のそれぞれに対応する複数のアイコンを表示し、前記複数のアイコンのいずれかを選択する指示が前記入力部で受け付けられた場合に、選択された前記アイコンに対応する論理アドレスを示す無線信号である、所定情報を示す無線信号を前記無線送出部に送出させる制御をする制御部とを有し、
前記複数の照明器具のそれぞれは、前記無線送出部から送出された前記無線信号を受信した場合に、受信した前記無線信号が示す論理アドレスとともに、前記通信部と通信するのに用いられる当該照明器具の通信アドレスを前記照明指令装置に送信し、
前記照明指令装置は、前記照明器具から送信されてきた前記論理アドレスと前記通信アドレスとを受信すると、受信した前記論理アドレスと前記通信アドレスとを対応づけて記憶することにより、マッピングを行う
照明システム。
【請求項２】
前記複数の照明器具のそれぞれは、前記無線送出部から送出された前記無線信号を受信した場合に、さらに、前記無線信号を受信したことを表わす出力動作をする
請求項１記載の照明システム。
【請求項３】
前記出力動作は、前記無線信号を受信した前記照明器具が照明光を発する動作である
請求項２記載の照明システム。
【請求項４】
前記複数の照明器具のそれぞれは、前記無線送出部から送出された前記無線信号を受信した場合に、前記通信アドレスを前記端末装置に送信し、
前記制御部は、前記端末装置から送信された前記通信アドレスを受信すると、受信した前記通信アドレスを前記複数のアイコンのうちの選択されたアイコンに対応づけて記憶することにより、マッピングを行う
請求項１〜３のいずれか１項に記載の照明システム。
【請求項５】
前記制御部は、前記複数のアイコンから選択されたアイコンに対応する照明器具を制御する場合に、前記マッピングによる対応づけを参照することで、前記照明器具の論理アドレスに対応する通信アドレスを特定し、特定した前記通信アドレスに向けて前記通信部によって前記制御命令を送信する
請求項４記載の照明システム。
【請求項６】
前記制御部は、前記複数のアイコンから選択されたアイコンに対応する照明器具を制御する場合に、選択された前記アイコンに対応する論理アドレスと制御命令とを前記照明指令装置に送信し、
前記照明指令装置は、前記端末装置から送信されてきた前記論理アドレスと前記制御命令とを受信すると、前記マッピングによる対応づけを参照することで前記論理アドレスに対応する通信アドレスを特定し、特定した前記通信アドレスの照明器具に前記制御命令を送信する
請求項１記載の照明システム。
【請求項７】
複数の照明器具と前記複数の照明器具を制御する端末装置とを備える照明システムであって、
前記端末装置は、
画面と、
操作者からの指示を受け付ける入力部と、
指向性を有する無線信号を送出する無線送出部と、
前記複数の照明器具の少なくとも一つに対して通信アドレス又は論理アドレスを指定して無線で制御命令を送る通信部と、
前記画面に前記複数の照明器具のそれぞれに対応する複数のアイコンを表示し、前記複数のアイコンのいずれかを選択する指示が前記入力部で受け付けられた場合に、所定情報を示す無線信号を前記無線送出部に送出させる制御をする制御部とを有し、
前記複数の照明器具のそれぞれは、前記無線送出部から送出された前記無線信号を受信した場合に、前記通信部と通信するのに用いられる当該照明器具の通信アドレスを送信し、
前記制御部は、さらに、前記複数のアイコンについて、所定の順序で前記操作者に選択することを促すための画像を前記画面に表示する
請求項１〜６のいずれか１項に記載の照明システム。
【請求項８】
前記制御部は、前記端末装置の外部から、前記複数の照明器具の配置位置を示す配置情報を取得し、取得した前記配置情報を参照することで、前記所定の順序として前記複数の照明器具の配置位置に従った順序を示すように、前記画像を表示する
請求項７記載の照明システム。
【請求項９】
前記複数の照明器具の配置位置に従った順序は、隣接して配置された照明器具を順に指定する順序である
請求項８記載の照明システム。
【請求項１０】
前記制御部は、前記入力部が受け付けた前記操作者からの指示に従って、前記配置情報を編集し、編集後の前記配置情報に従った順序を示すように、前記画像を表示する
請求項８又は９記載の照明システム。
【請求項１１】
前記制御部は、前記端末装置の外部から、前記所定の順序を示す順序情報を取得し、取得した順序情報が示す順序で、前記画像を前記画面に表示する
請求項７記載の照明システム。
【請求項１２】
前記制御部は、前記複数のアイコンについて、前記マッピングが完了したアイコンと前記マッピングが完了していないアイコンとを区別可能に前記画面に表示する
請求項４〜６のいずれか１項に記載の照明システム。
【請求項１３】
前記制御部は、前記複数のアイコンのうち、前記マッピングが完了していないアイコンの個数を前記画面に表示する
請求項４〜６及び１２のいずれか１項に記載の照明システム。
【請求項１４】
前記無線送出部は、前記無線信号として、可視光又は赤外線を送出する
請求項１〜１３のいずれか１項に記載の照明システム。
【請求項１５】
前記無線送出部は、着脱可能な態様で前記端末装置に取り付けられている
請求項１〜１４のいずれか１項に記載の照明システム。
【請求項１６】
前記複数の照明器具のそれぞれは、当該照明器具の通信アドレスを送信する前後において、異なる点灯状態になる
請求項１〜１５のいずれか１項に記載の照明システム。
【請求項１７】
請求項１〜１６のいずれか１項に記載の照明システムにおける照明器具。
【請求項１８】
請求項１〜１６のいずれか１項に記載の照明システムにおける端末装置。 
【発明の詳細な説明】
【技術分野】
【０００１】
本発明は、複数の照明器具と複数の照明器具を制御する端末装置とを備える照明システム、照明器具、及び、端末装置に関する。
【背景技術】
【０００２】
複数の照明器具で構成される照明システムにおいて、タブレット端末等の端末装置から制御命令を送信することによって複数の照明器具を制御できる状態にするには、複数の照明器具に対するアドレスのマッピング（以下、単に「マッピング」という）が必要となる。マッピングとは、端末装置が認識している複数の照明器具のそれぞれを識別する情報（以下、この情報を「論理アドレス」という）と、制御命令を受信するために予め個々の照明器具において設定された通信アドレスとを対応づけて記憶することである。なお、論理アドレスは、端末装置において複数の照明器具のそれぞれを識別するためだけでなく、同じ制御をする対象となる複数の照明器具に対して付与されたグループを識別するためにも用いられる。
【０００３】
従来、複数の照明器具で構成される照明システムにおいて、マッピングを行うための様々な技術が提案されている（例えば、特許文献１等）。
【０００４】
特許文献１を含む従来の照明システムにおけるマッピングは、代表的には、次の手順で行われる。いま複数の照明器具と端末装置とが無線で接続されているとする。まず、操作者からの指示に従って、端末装置は、複数の照明器具に向けてブロードキャスト等することで、複数の照明器具それぞれの通信アドレスを取得し、記憶する（いわゆるペアリングを行う）。次に、操作者は、端末装置において、いま取得した複数の照明器具の通信アドレスの一つ（例えば、アイコン）を選択する。すると、端末装置は、選択された通信アドレスの照明器具に向けて点滅させるための制御命令を送信する。その結果、制御命令を受信した照明器具が点滅する。操作者は、点滅した照明器具の配置位置を目視で確認することで、いま選択した通信アドレスに対応する照明器具のアイコンを、点滅した照明器具の位置に対応する端末装置の画面上の位置までドラッグさせる。以上の操作を複数の照明器具の全てについて繰り返すことで、端末装置の画面には、現実に設置された照明器具の配置位置に対応した複数のアイコン（つまり、論理アドレス）のそれぞれについて、通信アドレスとの対応づけ（マッピング）が完了する。マッピングが完了すると、端末装置は、操作者の指示等に従って、マッピングの結果（論理アドレスと通信アドレスとの対応）を参照しながら、制御したい位置に配置された照明器具の通信アドレスに向けて制御命令を送信する。これにより、端末装置において、意図する照明器具に対する制御が可能になる。
【先行技術文献】
【特許文献】
【０００５】
【特許文献１】特開２０１４−５６６７０号公報
【発明の概要】
【発明が解決しようとする課題】
【０００６】
しかしながら、上記従来の技術のマッピングでは、操作者は、複数の照明器具の通信アドレスの一つを選択した場合に、複数の照明器具のいずれが点滅するかを予測できず、現実に点滅した照明器具の近くに行って照明器具の配置位置を確認する必要がある。しかも、このような確認を複数の照明器具のそれぞれについて繰り返す必要がある。そのために、照明システムを構成する照明器具の台数が多い場合には、マッピングの作業は、多大な時間を要し、しかも、アイコンのドラッグ時における操作ミスも発生し得るので、極めて煩雑な作業となる。
【０００７】
そこで、本発明は、このような状況に鑑みてなされたものであり、従来よりも簡単で、かつ、確実に、照明システムにおけるマッピングを完了することができる照明システム、照明器具及び端末装置を提供することを目的とする。
【課題を解決するための手段】
【０００８】
上記目的を達成するために、本発明の一形態に係る照明システムは、複数の照明器具と前記複数の照明器具を制御する端末装置と前記端末装置からの制御命令に従って前記複数の照明器具を制御する照明指令装置とを備える照明システムであって、前記端末装置は、画面と、操作者からの指示を受け付ける入力部と、指向性を有する無線信号を送出する無線送出部と、前記複数の照明器具の少なくとも一つに対して通信アドレス又は論理アドレスを指定して無線で制御命令を送る通信部と、前記画面に前記複数の照明器具のそれぞれに対応する複数のアイコンを表示し、前記複数のアイコンのいずれかを選択する指示が前記入力部で受け付けられた場合に、選択された前記アイコンに対応する論理アドレスを示す無線信号である、所定情報を示す無線信号を前記無線送出部に送出させる制御をする制御部とを有し、前記複数の照明器具のそれぞれは、前記無線送出部から送出された前記無線信号を受信した場合に、受信した前記無線信号が示す論理アドレスとともに、前記通信部と通信するのに用いられる当該照明器具の通信アドレスを前記照明指令装置に送信し、前記照明指令装置は、前記照明器具から送信されてきた前記論理アドレスと前記通信アドレスとを受信すると、受信した前記論理アドレスと前記通信アドレスとを対応づけて記憶することにより、マッピングを行う。
【０００９】
上記目的を達成するために、本発明の一形態に係る照明器具は、上記照明システムにおける照明器具である。
【００１０】
上記目的を達成するために、本発明の一形態に係る端末装置は、上記照明システムにおける端末装置である。
【発明の効果】
【００１１】
本発明により、従来よりも簡単で、かつ、確実に、照明システムにおけるマッピングを完了することができる照明システム、照明器具及び端末装置が提供される。
【図面の簡単な説明】
【００１２】
【図１】実施の形態における照明システムの主要な構成を示す概略構成図
【図２】図１に示された照明器具、照明指令装置及び端末装置の構成を示すブロック図
【図３Ａ】図１に示されたサーバ装置が備える配置情報の一例を示す図
【図３Ｂ】図１に示されたサーバ装置が備える順序情報の一例を示す図
【図４Ａ】実施の形態における照明システムの動作を示すシーケンス図
【図４Ｂ】実施の形態における照明システムの動作を示すシーケンス図（その続き）
【図４Ｃ】実施の形態における照明システムの動作を示すシーケンス図（その続き）
【図５】端末装置の画面における複数のアイコン及び順序画像の表示例を示す図
【図６】複数のアイコンのうちの一つが選択されたときの端末装置の画面の表示例を示す図
【図７】端末装置の無線送出部からマッピングの対象となる照明器具に向けて論理アドレスを示す赤外線信号が送出される様子を示す図
【図８】１台の照明器具についてのマッピングの完了通知を受信した端末装置における画面の表示例を示す図
【図９】複数のアイコンのうちの一つが選択されたときの端末装置の画面の表示例を示す図
【図１０Ａ】実施の形態の変形例に係る照明システムの動作を示すシーケンス図
【図１０Ｂ】実施の形態の変形例に係る照明システムの動作を示すシーケンス図（その続き）
【発明を実施するための形態】
【００１３】
以下、本発明の実施の形態について、図面を用いて詳細に説明する。なお、以下で説明する実施の形態は、いずれも本発明の一具体例を示すものである。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、本発明の最上位概念を示す独立請求項に記載されていない構成要素については、任意の構成要素として説明される。
【００１４】
図１は、実施の形態における照明システム５の主要な構成を示す概略構成図である。照明システム５は、簡単で、かつ、確実に、照明器具のマッピングを完了できる照明システムであり、主要な構成要素として、複数の照明器具１０ａ〜１０ｃと、照明指令装置２０と、端末装置３０とを備える。なお、本実施の形態では、マッピングの結果は、照明指令装置２０に保存される。
【００１５】
照明器具１０ａ〜１０ｃは、照明光を発する器具であり、例えば、一つの部屋に分散して設置されたダウンライトである。
【００１６】
端末装置３０は、照明器具１０ａ〜１０ｃに対して制御命令を送信することで照明器具１０ａ〜１０ｃを制御する端末であり、例えば、タブレット端末、スマートフォン等の携帯情報端末である。
【００１７】
照明指令装置２０は、端末装置３０からの制御命令を中継して照明器具１０ａ〜１０ｃに転送するコントローラであり、例えば、部屋の壁または天井に設置されたり、あるいは、照明器具１０ａ〜１０ｃのいずれかに内蔵されたりする。
【００１８】
図２は、図１に示された照明システム５を構成する照明器具１０ａ〜１０ｃ、照明指令装置２０及び端末装置３０の構成を示すブロック図である。なお、複数の照明器具１０ａ〜１０ｃは、いずれも同じ構成を備えるので、本図では、一つの照明器具の構成だけが図示されている。また、本図には、照明システム５を構成する付帯的な構成要素である無線ルータ６、インターネット７及びサーバ装置８も併せて図示されている。
【００１９】
照明器具１０ａ〜１０ｃのそれぞれは、器具Ｉ／Ｆ（インタフェース）１１、無線受信部１２、光源１３及び器具制御部１４を備える。
【００２０】
器具Ｉ／Ｆ１１は、照明指令装置２０と有線又は無線（本実施の形態では、有線）で通信するインタフェースであり、例えば、シリアル通信インタフェース、無線ＬＡＮ用通信インタフェース等である。
【００２１】
無線受信部１２は、端末装置３０の無線送出部３３から送出されてくる無線信号（本実施の形態では、赤外線信号）を受信する受信部であり、例えば、赤外線受光部である。
【００２２】
光源１３は、照明光を発する光源であり、例えば、ＬＥＤ（Ｌｉｇｈｔ  Ｅｍｉｔｔｉｎｇ  Ｄｉｏｄｅ）等である。
【００２３】
器具制御部１４は、器具Ｉ／Ｆ１１、無線受信部１２及び光源１３とやりとりして制御する制御部である。器具制御部１４は、例えば、制御プログラムを格納するＲＯＭ、制御プログラムを実行するプロセッサ、ＲＡＭ及び各種入出力ポート等を有するマイコン（マイクロコントローラ又はマイクロコンピュータ）等である。
【００２４】
より詳しくは、器具制御部１４は、マッピングのための処理として、端末装置３０から赤外線信号を受信した場合に、赤外線信号を受信したことを表わす出力動作をし、かつ、端末装置３０と通信するのに用いられる当該照明器具の通信アドレスを送信する。ここで、赤外線信号は、所定のデータパターンであり、固定の情報であってもよいし、あるいは、出力動作を指定する可変の情報であってもよい。出力動作は、赤外線信号を受信したことを操作者に伝える動作であり、例えば、音を発する動作、あるいは、所定の照明状態になる動作等（本実施の形態では、所定時間だけ照明光を点滅させる動作）である。
【００２５】
なお、本実施の形態では、器具制御部１４は、端末装置３０の無線送出部３３から送出された赤外線信号に論理アドレスが含まれているので、受信した論理アドレスとともに自己の通信アドレスを、器具Ｉ／Ｆ１１を介して、照明指令装置２０に送信する。また、器具制御部１４は、論理アドレス及び通信アドレスを照明指令装置２０に送信できたことを操作者に知らせるために、論理アドレス及び通信アドレスを送信する前後において、異なる点灯状態になるように光源１３を制御する。例えば、器具制御部１４は、光源１３を点滅状態から消灯状態に変化させる。
【００２６】
また、器具制御部１４は、マッピング後の照明制御として、照明指令装置２０から、器具Ｉ／Ｆ１１を介して、自己の通信アドレスを指定した制御命令を受信した場合には、その制御命令に従って光源１３を制御することで、点灯、消灯、調光又は調色を行う。
【００２７】
照明指令装置２０は、指令Ｉ／Ｆ２１、指令通信部２２及び指令制御部２３を備える。
【００２８】
指令Ｉ／Ｆ２１は、照明器具１０ａ〜１０ｃと有線又は無線（本実施の形態では、有線）で通信するインタフェースであり、例えば、シリアル通信インタフェース、無線ＬＡＮ用通信インタフェース等である。
【００２９】
指令通信部２２は、端末装置３０と無線で通信（本実施の形態では、無線ルータ６を介して通信）するインタフェースであり、例えば、無線ＬＡＮ用インタフェースである。
【００３０】
指令制御部２３は、指令Ｉ／Ｆ２１及び指令通信部２２とやりとりして制御する制御部である。指令制御部２３は、例えば、制御プログラムを格納するＲＯＭ、制御プログラムを実行するプロセッサ、ＲＡＭ及び各種入出力ポート等を有するマイコン（マイクロコントローラ又はマイクロコンピュータ）等である。
【００３１】
より詳しくは、指令制御部２３は、照明器具１０ａ〜１０ｃから送信されてきた論理アドレス及び通信アドレスを、指令Ｉ／Ｆ２１を介して受信すると、受信した論理アドレス及び通信アドレスを対応づけて記憶することにより、マッピングを行う。また、照明制御においては、指令制御部２３は、端末装置３０から送信されてきた論理アドレス及び制御命令を、無線ルータ６及び指令通信部２２を介して受信すると、マッピングの結果を参照することで、受信した論理アドレスに対応する通信アドレスを特定する。そして、指令制御部２３は、特定した通信アドレスの照明器具に、指令Ｉ／Ｆ２１を介して制御命令を送信することにより、照明器具１０ａ〜１０ｃを制御する。
【００３２】
無線ルータ６は、照明指令装置２０と端末装置３０との間の無線通信を中継する機能と、インターネット７上の通信装置（ここでは、サーバ装置８）と接続するゲートウェイとしての機能を有する装置である。
【００３３】
サーバ装置８は、インターネット７上の通信装置であり、本実施の形態では、端末装置３０に照明器具１０ａ〜１０ｃの配置情報及び順序情報を提供する装置である。ここで、配置情報とは、照明器具１０ａ〜１０ｃの配置位置（部屋における設置位置）を示す情報であり、例えば、図３Ａに示される配置情報８ａのように、照明器具１０ａ〜１０ｃに対応するマーク（ここでは、丸で囲まれた電球の図）が配置された図面である。図３Ａでは、机等の家具が配置された部屋のレイアウト図に照明器具１０ａ〜１０ｃに対応するマークが描かれている。また、順序情報とは、照明器具１０ａ〜１０ｃに対するマッピングの順序を示す情報であり、例えば、図３Ｂに示される順序情報８ｂのように、隣接して配置された照明器具を順に指定するように番号が付与された情報である。図３Ｂに示される順序情報８ｂでは、図３Ａに示される配置情報８ａにおける各照明器具の配置位置に対応する箇所に、マッピングの順番を示す番号が記入されている。なお、配置情報８ａ及び順序情報８ｂは、典型的には、照明器具１０ａ〜１０ｃが設置される前の段階で、予め、照明設計者によって作成される。
【００３４】
端末装置３０は、入力部３１、端末通信部３２、無線送出部３３、画面３４及び端末制御部３５を備える。
【００３５】
入力部３１は、操作者からの指示を受け付けるデバイスであり、例えば、タッチパネル、ボタン等である。
【００３６】
無線送出部３３は、指向性を有する無線信号を送出する通信インタフェースであり、例えば、無線信号として可視光又は赤外線を送出するデバイス（本実施の形態では、着脱可能な態様で端末装置３０に取り付けられた、赤外線を送出するデバイス）である。無線送出部３３は、マッピングの対象となる１台の照明器具だけに無線信号を照射できるように、指向性をもつ（ビーム状の）無線信号を送出する。
【００３７】
端末通信部３２は、照明器具１０ａ〜１０ｃの少なくとも一つに対して通信アドレス又通信アドレスに対応する論理アドレスを指定して無線で制御命令を送る通信インタフェースであり、例えば、無線ＬＡＮ用通信インタフェースである。なお、「通信アドレス」を指定して制御命令を送る場合は、端末装置３０がマッピングの結果を保持しており、端末装置３０においてマッピングの結果を参照できる場合である。この場合には、端末装置３０において論理アドレスが通信アドレスに変換され、変換後の通信アドレスが照明器具１０ａ〜１０ｃに向けて送信される。一方、「論理アドレス」を指定して制御命令を送る場合は、本実施の形態のように、端末装置３０の外部（つまり、照明指令装置２０）でマッピングの結果が保持される場合である。この場合には、端末装置３０から送信されてきた論理アドレスが照明指令装置２０において通信アドレスに変換され、変換後の通信アドレスが照明器具１０ａ〜１０ｃに向けて送信される。
【００３８】
画面３４は、操作者と対話するに各種情報を表示する表示部であり、例えば、ＬＣＤ（ｌｉｑｕｉｄ  ｃｒｙｓｔａｌ  ｄｉｓｐｌａｙ）パネルである。
【００３９】
端末制御部３５は、入力部３１、端末通信部３２、無線送出部３３及び画面３４とやりとりして制御する制御部である。端末制御部３５は、例えば、制御プログラムを格納するＲＯＭ、制御プログラムを実行するプロセッサ、ＲＡＭ及び各種入出力ポート等を有するマイコン（マイクロコントローラ又はマイクロコンピュータ）等である。
【００４０】
より詳しくは、マッピングのために、端末制御部３５は、画面３４に、照明器具１０ａ〜１０ｃのそれぞれに対応する複数のアイコンを表示する。そして、端末制御部３５は、画面３４に表示した複数のアイコンのいずれかを選択する指示が入力部３１で受け付けられた場合に、所定情報を示す無線信号を無線送出部３３に送出させる制御をする。本実施の形態では、所定情報を示す無線信号として、端末制御部３５は、選択されたアイコンに対応する論理アドレスを示す赤外線信号を無線送出部３３に送出させる。その後、マッピングが完了し、複数のアイコンから選択されたアイコンに対応する照明器具を制御する場合には、端末制御部３５は、選択されたアイコンに対応する論理アドレスと制御命令とを照明指令装置２０に送信する。照明指令装置２０は、受信した論理アドレスを通信アドレスに変換し、変換後の通信アドレスをもつ照明器具に向けて制御命令を送信することで、受信した論理アドレスに対応する照明器具を制御する。
【００４１】
ここで、端末制御部３５は、操作者によるマッピング作業を簡単かつ確実にするために、複数の照明器具１０ａ〜１０ｃに対応するアイコンを画面３４に表示する際に、所定の順序で操作者に選択することを促すための画像も画面３４に表示する。この画像は、例えば、複数のアイコンのそれぞれの近くに表示する、順番を示す番号を示す画像である（以下、この画像を「順序画像」と呼ぶ）。また、所定の順序として、端末制御部３５は、端末装置３０の外部（ここでは、サーバ装置８）から照明器具１０ａ〜１０ｃの配置位置を示す配置情報を取得し、取得した配置情報を参照することで、照明器具１０ａ〜１０ｃの配置位置に従った順序を決定する。配置情報は、例えば、図３Ａに示されるような配置情報８ａである。また、照明器具１０ａ〜１０ｃの配置位置に従った順序は、例えば、隣接して配置された照明器具を順に指定するような順序（照明器具１０ａ〜１０ｃの並び順）である。なお、端末制御部３５は、入力部３１が受け付けた操作者からの指示に従って、配置情報を編集し、編集後の配置情報に従った順序を示すように、順序画像を表示することもできる。
【００４２】
本実施の形態では、順序画像の生成については、端末制御部３５は、端末装置３０の外部（ここでは、サーバ装置８）から、所定の順序を示す順序情報を取得し、取得した順序情報が示す順序を示す順序画像を生成し、画面に表示する。順序情報は、例えば、図３Ｂに示されるような順序情報８ｂである。
【００４３】
次に、以上のように構成された本実施の形態における照明システム５の動作について説明する。
【００４４】
図４Ａ〜図４Ｃは、本実施の形態における照明システム５の動作を示すシーケンス図である。ここでは、マッピング及びマッピング後の照明器具１０ａ〜１０ｃの制御について、サーバ装置８、端末装置３０、照明指令装置２０及び照明器具１０ａ〜１０ｃのそれぞれでの動作及びやりとり（通信）の手順が示されている。
【００４５】
図４Ａに示されるように、まず、端末装置３０では、端末制御部３５は、マッピングの事前準備として、サーバ装置８から、インターネット７、無線ルータ６及び端末通信部３２を介して、照明器具１０ａ〜１０ｃから配置情報及び順序情報を取得する（Ｓ１０）。例えば、端末制御部３５は、図３Ａに示される配置情報８ａ及び図３Ｂに示される順序情報８ｂを取得し、内蔵のメモリに記憶する。
【００４６】
そして、端末制御部３５は、取得した配置情報に従って、画面３４に照明器具１０ａ〜１０ｃのそれぞれに対応させる複数のアイコンを表示し、かつ、取得した順序情報に従って、画面３４に順序画像を表示する（Ｓ２０）。
【００４７】
図５は、端末装置３０の画面３４における複数のアイコン及び順序画像の表示例を示す図である。本図に示されるように、照明器具１０ａ〜１０ｃのそれぞれに対応する２０個のアイコン４０ａ〜４０ｃが画面３４に表示されている。これらのアイコン４０ａ〜４０ｃの画像（レイアウトを含む画像）は、サーバ装置８から取得された配置情報（画像）が示すイメージに対応する。これらのアイコン４０ａ〜４０ｃの配置位置は、部屋における現実の設置位置に対応している。
【００４８】
また、アイコン４０ａ〜４０ｃの近く（本実施の形態では、右上）に、操作者にお薦めするマッピングの順番を示す順序画像４１ａ〜４１ｃが表示されている。順序画像４１ａ〜４１ｃは、サーバ装置８から取得された順序情報が示す順番に従って付された番号を示す画像である。ここでは、隣接して配置された照明器具を順に指定する順序（画面３４における一行目の並びでは左端から右端に進み、二行目の並びでは右端から左端に戻り、以下同様に繰り返す順序）で番号が付されている。
【００４９】
また、本図の表示例では、画面３４の下段に、マッピングが完了していないアイコンの個数（つまり、マッピング未完了の照明器具の台数）が「設定対象残り台数４２」として表示されている。
【００５０】
再び図４Ａに戻り、操作者は、まず、１つ目の照明器具についてマッピングするために、端末装置３０を持って、番号「１」が付されたアイコンに対応する照明器具（ここでは、照明器具１０ａとする）の下に移動する（Ｓ２１）。そして、操作者は、端末装置３０の無線送出部３３を、番号「１」に対応する照明器具１０ａに向けるように端末装置３０を保持した状態で、画面３４上の番号「１」が付されたアイコンを選択（例えば、アイコンをタッチする操作を）する（Ｓ２２）。
【００５１】
図６は、複数のアイコンのうちの一つが選択されたときの画面３４の表示例を示す図である。ここでは、番号「１」が付されたアイコンが選択されたので、そのアイコンを囲むように破線の円形の枠４５が表示され、そのアイコンが選択されたことが示されている。
【００５２】
再び図４Ａに戻り、一つのアイコンが選択されると、端末制御部３５は、選択されたアイコンに対応する論理アドレスを示す赤外線信号を無線送出部３３から送出する（Ｓ２３）。図７は、操作者が照明器具１０ａの下で画面３４上の一つのアイコンを選択したために、端末装置３０の無線送出部３３からマッピングの対象となる照明器具１０ａに向けて論理アドレスを示す赤外線信号が送出される様子を示す図である。本実施の形態では、選択されたアイコンに付された番号「１」を論理アドレスとして含む赤外線信号が無線送出部３３から照明器具１０ａに向けてビーム状に送出される。
【００５３】
再び図４Ａに戻り、論理アドレスを含む赤外線信号を無線受信部１２で受信した照明器具１０ａでは、器具制御部１４は、赤外線信号を受信したことを表わす出力動作（本実施の形態では、所定時間だけ照明光を点滅させる動作）をする（Ｓ２４）。これによって、操作者は、マッピングのための赤外線信号が、番号「１」に対応する照明器具１０ａに届いたことを知る。そして、器具制御部１４は、受信した論理アドレスとともに自己の通信アドレスを、器具Ｉ／Ｆ１１を介して、照明指令装置２０に送信する（Ｓ２５）。
【００５４】
照明器具１０ａから送信されてきた論理アドレス及び通信アドレスを、指令Ｉ／Ｆ２１を介して受信した照明指令装置２０では、指令制御部２３は、受信した論理アドレス及び通信アドレスを対応づけて内蔵のメモリに記憶する（Ｓ２６）。これにより、１つ目の照明器具１０ａのマッピングが完了する。そして、指令制御部２３は、１つ目の照明器具１０ａのマッピングを完了したこと（照明器具１０ａの論理アドレスを含む完了情報）を、指令通信部２２を介して、端末装置３０に通知する（Ｓ２７）。
【００５５】
照明指令装置２０から照明器具１０ａの論理アドレスを含むマッピングの完了通知を受けた端末装置３０では、端末制御部３５は、複数のアイコンを表示する画面３４において、アイコンの表示とマッピング未完了の照明器具の台数表示を更新する（Ｓ２８）。具体的には、端末制御部３５は、完了通知を受けた論理アドレスに対応するアイコンについて、マッピングが完了したことが分かる状態に表示変更（色の変更、印の付与、表示輝度の変更等）する。そして、端末制御部３５は、マッピング未完了の照明器具の台数を１だけ減じた値に更新して表示する。
【００５６】
図８は、１台の照明器具１０ａについてのマッピングの完了通知を受信した端末装置３０における画面３４の表示例を示す図である。ここでは、番号「１」が付されたアイコンを囲むように太い実線の円形の枠４６が表示され、そのアイコンに対応する照明器具１０ａのマッピングが完了したことが示されている。また、マッピング未完了の照明器具の台数（設定対象残り台数４２）として、「１９台」に更新されて表示されている。このような表示により、操作者は、１つ目の照明器具１０ａについてマッピングが完了したことを知る。
【００５７】
次に、図４Ｂに示されるように、操作者は、２つ目の照明器具についてマッピングするために、端末装置３０を持って、番号「２」が付されたアイコンに対応する照明器具（ここでは、照明器具１０ｂとする）の下に移動する（Ｓ３１）。そして、操作者は、端末装置３０の無線送出部３３を、番号「２」に対応する照明器具１０ａに向けるように端末装置３０を保持した状態で、画面３４上の番号「２」が付されたアイコンを選択（例えば、アイコンをタッチする操作を）する（Ｓ３２）。図９は、複数のアイコンのうちの一つが選択されたときの画面３４の表示例を示す図である。ここでは、番号「２」が付されたアイコンが選択されたので、そのアイコンを囲むように破線の円形の枠４５が表示され、そのアイコンが選択されたことが示されている。
【００５８】
以下、１つ目の照明器具１０ａに対するマッピングと同様の手順で、処理が行われ、照明指令装置２０において、２つ目の照明器具１０ｂについてのマッピングが完了する（Ｓ３３〜Ｓ３７）。そして、照明指令装置２０からの完了通知を受けた端末装置３０において、２つ目の照明器具１０ｂのマッピングが完了したことが表示される（Ｓ３８）。
【００５９】
このようにして、操作者は、画面３４に表示された照明器具１０ａ〜１０ｃのアイコンの全てについて、順序画像が示す順番に従って、照明器具の下に移動してアイコンを選択する指示をすることで、全ての照明器具１０ａ〜１０ｃのマッピングを終える。
【００６０】
以上の手順によってマッピングが完了すると、端末装置３０は、操作者の指示又は予め定められた照明シーン又は照明スケジュール等に従って、制御したい位置に配置された照明器具を指定して照明制御することができる。なお、照明シーンとは、調光及び調色の少なくとも一つを指定した情報である。また、照明スケジュールとは、時刻と実行する照明シーンとの対応を指定した情報である。
【００６１】
図４Ｃに示されるように、いま、端末装置３０の画面３４に表示された複数のアイコンから制御対象のアイコンが選択され、かつ、制御内容（点灯、消灯、調光、調色等）が指示されたとする（Ｓ４０）。すると、端末制御部３５は、選択されたアイコンに対応する論理アドレス及び制御命令を照明指令装置２０に送信する（Ｓ４１）。
【００６２】
論理アドレス及び制御命令の通知を受けた照明指令装置２０では、内蔵のメモリに記憶しているマッピングによる対応づけを参照することで、論理アドレスに対応する通信アドレスを特定する（Ｓ４２）。そして、指令制御部２３は、特定した通信アドレスの照明器具に、指令Ｉ／Ｆ２１を介して、受信した制御命令を送信する（Ｓ４３）。
【００６３】
自己の通信アドレスを指定した制御命令を受信した照明器具では、器具制御部１４は、受信した制御命令に従って光源１３を制御することで、照明制御（点灯、消灯、調光又は調色）を行う（Ｓ４４）。
【００６４】
なお、端末装置３０における制御対象となる照明器具１０ａ〜１０ｃの選択については、画面３４に表示された複数のアイコンのうちの一つが選択される場合だけでなく、複数のアイコンが選択されてもよいし、複数のアイコンをまとめたグループが選択されてもよい。そのような場合には、複数のアイコン、あるいは、グループとして選択されたアイコンに対応する複数の照明器具に対して、端末装置３０から、同時に、同じ制御命令が送信され、一括して照明制御が行われる。また、制御内容の指示については、操作者によって制御の度に決定されるだけでなく、予め定めた照明シーン又は照明スケジュールに従って決定されてもよい。
【００６５】
以上のように、本実施の形態における照明システム５は、複数の照明器具１０ａ〜１０ｃと照明器具１０ａ〜１０ｃを制御する端末装置３０とを備えるシステムである。端末装置３０は、画面３４と、操作者からの指示を受け付ける入力部３１と、無線送出部３３と、端末制御部３５とを有する。無線送出部３３は、指向性を有する無線信号を送出する。端末通信部３２は、複数の照明器具１０ａ〜１０ｃの少なくとも一つに対して通信アドレス又は論理アドレスを指定して無線で制御命令を送る。端末制御部３５は、画面３４に複数の照明器具１０ａ〜１０ｃのそれぞれに対応する複数のアイコンを表示し、複数のアイコンのいずれかを選択する指示が入力部３１で受け付けられた場合に、所定情報を示す無線信号を無線送出部３３に送出させる制御をする。照明器具１０ａ〜１０ｃのそれぞれは、無線送出部３３から送出された無線信号を受信した場合に、端末通信部３２と通信するのに用いられる当該照明器具の通信アドレスを送信する。
【００６６】
これにより、複数のアイコンのいずれかが選択されると、所定情報を示す指向性を有する無線信号が端末装置３０から送出され、それを受信した照明器具から、自己の通信アドレスが送信される。よって、選択されたアイコンの論理アドレスと照明器具から送信されてきた通信アドレスとを対応づけることで、所望の照明器具（無線信号を照射する対象の照明器具）に対してマッピングを行うことができる。つまり、操作者は、自分にとって都合のよい順序（例えば、照明器具が設置された並び順）でマッピングを行うことができ、従来のようにランダムに点滅する照明器具の近くに移動して確認する必要がなくなる。その結果、マッピングにおける操作者の移動距離（つまり、動線）が短くなる。さらに、操作者が意図する順序でマッピングを進めていくことができるので、操作ミスも軽減される。その結果、従来よりも簡単で、かつ、確実に、照明システムにおけるマッピングを完了することができる照明システムが実現される。
【００６７】
また、照明器具１０ａ〜１０ｃのそれぞれは、無線送出部３３から送出された無線信号を受信した場合に、さらに、無線信号を受信したことを表わす出力動作をする。例えば、出力動作は、例えば、無線信号を受信した照明器具１０ａ〜１０ｃが照明光を発する動作である。
【００６８】
これにより、操作者は、意図した照明器具に無線信号が届いたことを目視で確認できる。
【００６９】
また、照明システム５は、さらに、端末装置３０からの制御命令に従って複数の照明器具１０ａ〜１０ｃを制御する照明指令装置２０を備える。端末制御部３５は、複数のアイコンのいずれかを選択する指示が入力部３１で受け付けられた場合に、所定情報として、選択されたアイコンに対応する論理アドレスを示す無線信号を無線送出部３３に送出させる制御をする。複数の照明器具１０ａ〜１０ｃのそれぞれは、無線送出部３３から送出された無線信号を受信した場合に、受信した無線信号が示す論理アドレスとともに通信アドレスを照明指令装置２０に送信する。照明指令装置２０は、照明器具１０ａ〜１０ｃから送信されてきた論理アドレスと通信アドレスとを受信すると、受信した論理アドレスと通信アドレスとを対応づけて記憶することにより、マッピングを行う。
【００７０】
これにより、照明器具１０ａ〜１０ｃから論理アドレス及び通信アドレスの通知を受けた照明指令装置２０は、それらの対応を記憶しておくことで、マッピングの記憶、編集、参照等の管理を集中して行うことができる。
【００７１】
また、端末制御部３５は、複数のアイコンから選択されたアイコンに対応する照明器具１０ａ〜１０ｃを制御する場合に、選択されたアイコンに対応する論理アドレスと制御命令とを照明指令装置２０に送信する。照明指令装置２０は、端末装置３０から送信されてきた論理アドレスと制御命令とを受信すると、マッピングによる対応づけを参照することで論理アドレスに対応する通信アドレスを特定し、特定した通信アドレスの照明器具１０ａ〜１０ｃに制御命令を送信する。
【００７２】
これにより、端末装置３０は、自装置において照明器具１０ａ〜１０ｃの通信アドレスを管理することなく、照明指令装置２０に、制御したい照明器具の論理アドレスと制御命令とを送信することで、所望の照明器具に対して照明制御を行うことができる。
【００７３】
また、端末制御部３５は、さらに、複数のアイコンについて、所定の順序で操作者に選択することを促すための順序画像を画面３４に表示する。
【００７４】
これにより、操作者は、表示された順序でマッピングを進めていくことで全ての照明器具１０ａ〜１０ｃのマッピングを終えることができるので、操作ミスが軽減され、より確実に、マッピングを完了することができる。
【００７５】
また、端末制御部３５は、端末装置３０の外部から、複数の照明器具１０ａ〜１０ｃの配置位置を示す配置情報を取得し、取得した配置情報を参照することで、所定の順序として複数の照明器具１０ａ〜１０ｃの配置位置に従った順序を示すように、順序画像を表示する。例えば、複数の照明器具１０ａ〜１０ｃの配置位置に従った順序は、隣接して配置された照明器具１０ａ〜１０ｃを順に指定する順序である。
【００７６】
これにより、照明器具１０ａ〜１０ｃが現実に設置された並び順でマッピングを進めることができるので、操作者がマッピングのために部屋内を移動する距離（つまり、動線）が短くて済む。
【００７７】
また、端末制御部３５は、入力部３１が受け付けた操作者からの指示に従って、配置情報を編集し、編集後の配置情報に従った順序を示すように、順序画像を表示する。
【００７８】
これにより、操作者にとって都合のよい順序で照明器具のマッピングを進めていくことができ、マッピング作業における利便性が向上される。
【００７９】
また、端末制御部３５は、端末装置３０の外部から、所定の順序を示す順序情報を取得し、取得した順序情報が示す順序で順序画像を画面３４に表示する。
【００８０】
これにより、順序情報には、照明設計者等のよって設計された効率のよいマッピングの順序が示されているので、その順序に従ってマッピングを進めていくことで、短時間で、かつ、確実に、マッピングを終えることができる。
【００８１】
また、端末制御部３５は、複数のアイコンについて、マッピングが完了したアイコンとマッピングが完了していないアイコンとを区別可能に画面３４に表示する。
【００８２】
これにより、操作者は、マッピングを完了した照明器具と完了していない照明器具とを画面３４で知ることができるので、同一の照明器具に対する重複したマッピング作業や、マッピング作業のとりこぼし等が回避される。
【００８３】
また、端末制御部３５は、複数のアイコンのうち、マッピングが完了していないアイコンの個数を画面３４に表示する。
【００８４】
これにより、操作者は、マッピングの対象となる照明器具の残り台数を知ることができるので、マッピング作業における利便性が向上される。
【００８５】
また、無線送出部３３は、無線信号として、可視光又は赤外線を送出する。
【００８６】
これにより、指向性を有する可視光又は赤外線を、マッピングの対象となる１台の照明器具に照射することが容易となるので、マッピング作業において、操作者は、確実に１台の照明器具を指定することができる。
【００８７】
また、無線送出部３３は、着脱可能な態様で端末装置３０に取り付けられている。
【００８８】
これにより、マッピング作業を行うときにだけ、無線送出部３３を端末装置３０に取り付けておき、通常の使用時には、端末装置３０から取り外しておくことで、通常の使用時における端末装置３０の装備が簡素化され、端末装置３０が軽量化される。
【００８９】
また、複数の照明器具１０ａ〜１０ｃのそれぞれは、当該照明器具１０ａ〜１０ｃの通信アドレスを送信する前後において、異なる点灯状態になる。
【００９０】
これにより、操作者は、マッピングの対象となる照明器具を目視で確認でき、確実に、マッピングを進めていくことができる。
【００９１】
なお、上記実施の形態の照明システム５では、端末装置３０と照明器具１０ａ〜１０ｃとの間の制御命令を中継する照明指令装置２０が介在したが、このような照明指令装置２０は、必ずしも必要ではない。
【００９２】
図１０Ａ及び図１０Ｂは、照明指令装置を備えない、上記実施の形態の変形例に係る照明システム（つまり、照明器具１０ａ〜１０ｃと端末装置３０とで構成される照明システム）の動作を示すシーケンス図である。図１０Ａは、本変形例におけるマッピングの手順を示し、上記実施の形態における図４Ａ及び図４Ｂに示された手順に対応する。図１０Ｂは、本変形例における照明制御の手順を示し、上記実施の形態における図４Ｃに示された手順に対応する。図１０Ａ及び図１０Ｂにおいて、図４Ａ〜図４Ｃに示されるシーケンス図と同じ処理には図４Ａ〜図４Ｃと同じ符号が付され、異なる処理には異なる符号が付されている。以下、図４Ａ〜図４Ｃと異なる処理を中心に本変形例を説明する。
【００９３】
図１０Ａに示されるように、一つのアイコンが選択された端末装置３０では、端末制御部３５は、所定情報を示す赤外線信号を無線送出部３３から送出する（Ｓ１２３）。上記実施の形態では、選択されたアイコンに対応する論理アドレスを含む赤外線信号が送出されたが、本変形例では、その必要はなく、マッピング用の信号であることを示す所定情報が含まれた赤外線信号が送出される。
【００９４】
そして、赤外線信号を受信した照明器具１０ａでは、器具制御部１４は、赤外線信号を受信したことを表わす出力動作した後に（Ｓ２４）、自己の通信アドレスを、可視光又は赤外線等の無線信号で、端末装置３０に通知する（Ｓ１２５）。上記実施の形態では、論理アドレスと通信アドレスとが照明指令装置２０に通知されたが、本変形例では、通信アドレスだけが端末装置３０に通知される。
【００９５】
そして、照明器具１０ａから送られてきた通信アドレスを受信した端末装置３０では、端末制御部３５は、選択したアイコンの番号「１」と、いま受信した通信アドレスとを対応づけて内蔵のメモリに記憶する。これにより、照明器具１０ａのマッピングが完了する（Ｓ１２６）。
【００９６】
また、マッピング完了後の照明制御においては、図１０Ｂに示されるように、端末制御部３５は、マッピングによる対応づけを参照することで、選択されたアイコンに対応する照明器具の論理アドレスに対応する通信アドレスを特定する（Ｓ１４２）。そして、端末制御部３５は、特定した通信アドレスの照明器具に、指令Ｉ／Ｆ２１を介して、制御命令（つまり、通信アドレスと制御命令と）を送信する（Ｓ１４３）。
【００９７】
このようにして、端末装置３０が上記実施の形態における照明指令装置２０の機能（マッピングの結果の保存及び参照）を備えることで、照明器具１０ａ〜１０ｃと端末装置３０とで構成される照明システムであっても、マッピングと照明制御が可能になる。
【００９８】
このように、本変形例に係る照明システムによれば、複数の照明器具１０ａ〜１０ｃのそれぞれは、無線送出部３３から送出された無線信号を受信した場合に、通信アドレスを端末装置３０に送信する。端末制御部３５は、端末装置３０から送信された通信アドレスを受信すると、受信した通信アドレスを複数のアイコンのうちの選択されたアイコンに対応づけて記憶することにより、マッピングを行う。
【００９９】
これにより、上記実施の形態における照明指令装置２０が介在しない、照明器具１０ａ〜１０ｃと端末装置３０とで構成される照明システムであっても、端末装置３０において、マッピングが行われる。
【０１００】
また、端末制御部３５は、複数のアイコンから選択されたアイコンに対応する照明器具１０ａ〜１０ｃを制御する場合に、マッピングによる対応づけを参照することで、照明器具１０ａ〜１０ｃの論理アドレスに対応する通信アドレスを特定し、特定した通信アドレスに向けて端末通信部３２によって制御命令を送信する。
【０１０１】
これにより、上記実施の形態における照明指令装置２０が介在しない照明システムであっても、端末装置３０に記憶されたマッピングの結果を参照することで、端末装置３０から、直接、照明器具１０ａ〜１０ｃを制御することが可能になる。
【０１０２】
以上、本発明の照明システム、照明器具及び端末装置について、実施の形態及び変形例に基づいて説明したが、本発明は、これらの実施の形態及び変形例に限定されるものではない。本発明の主旨を逸脱しない限り、当業者が思いつく各種変形を本実施の形態及び変形例に施したものや、実施の形態及び変形例における一部の構成要素を組み合わせて構築される別の形態も、本発明の範囲内に含まれる。
【０１０３】
例えば、上記実施の形態及び変形例では、照明器具１０ａ〜１０ｃのそれぞれは、端末装置３０の無線送出部３３から送出された無線信号を受信した場合に無線信号を受信したことを表わす出力動作をしたが、必ずしも、出力動作をする必要はない。このような照明器具による出力動作がなくても、対象の照明器具のマッピングが完了するとそのことが端末装置３０におけるアイコン表示に反映されるので、操作者は、無線信号が照明器具に届いたことを知ることができるからである。
【０１０４】
また、上記実施の形態及び変形例では、端末装置３０は、サーバ装置８から取得した配置情報８ａ及び順序情報８ｂに基づいて、画面３４に照明器具１０ａ〜１０ｃに対応するアイコン及びマッピングの順序を示す順序画像を表示した。しかしながら、端末装置３０は、必ずしも、外部から取得した配置情報及び順序情報を必要とするものではない。端末装置３０は、操作者との対話によって、照明器具１０ａ〜１０ｃに対応する複数のアイコンを画面３４に配置し、操作者からの指示に従って、それら複数のアイコンに対してマッピングの順序を付与してもよい。
【０１０５】
また、マッピングにおいて、端末装置３０の無線送出部３３から送出される無線信号に、上記論理アドレス、あるいは、上記所定情報に加えて、照明器具の点灯状態を変化させる制御命令が含まれていてもよい。これにより、照明器具１０ａ〜１０ｃは、端末装置３０から無線信号を受信したときに、無線信号に含まれていた制御命令に従って点灯状態を変化させる。よって、操作者は、意図する照明器具に無線信号が届いたことを知ることができる。
【０１０６】
また、端末装置３０が備える無線送出部３３及び照明器具１０ａ〜１０ｃが備える無線受信部１２は、いずれも、可視光又は赤外線等の無線信号を送信及び受信する通信装置であってもよい。これにより、端末装置３０と照明器具１０ａ〜１０ｃとの間で、直接、情報交換ができる。
【０１０７】
また、上記実施の形態では、マッピングにおける順番が照明器具の論理アドレスとして用いられたが、論理アドレスは、これに限られない。論理アドレスは、個々の照明器具に対して付与された任意の名前であってもよいし、複数の照明器具に対して付与されたグループ番号等であってもよい。
【符号の説明】
【０１０８】
５  照明システム
８ａ  配置情報
８ｂ  順序情報
１０ａ、１０ｂ、１０ｃ  照明器具
２０  照明指令装置
３０  端末装置
３１  入力部
３２  端末通信部（通信部）
３３  無線送出部
３４  画面
３５  端末制御部（制御部）
【図１】
0006692035.tif 000002
【図２】
0006692035.tif 000003
【図３Ａ】
0006692035.tif 000004
【図３Ｂ】
0006692035.tif 000005
【図４Ａ】
0006692035.tif 000006
【図４Ｂ】
0006692035.tif 000007
【図４Ｃ】
0006692035.tif 000008
【図５】
0006692035.tif 000009
【図６】
0006692035.tif 000010
【図７】
0006692035.tif 000011
【図８】
0006692035.tif 000012
【図９】
0006692035.tif 000013
【図１０Ａ】
0006692035.tif 000014
【図１０Ｂ】
0006692035.tif 000015